(57)【要約】【課題】風向板が閉じた際に風向板の先端に生じる隙間を隠して外観を向上させるとともに、冷房時には風を水平に吹き出させ、暖房時に温風が上方に流れるのを防止して温度センサで正確な室温検知ができる空気調和機を提供する。【解決手段】送風ファン１３と、送風ファン１３からの風を送り出す送風路２５と、送風路２５からの風の流れを上下に調節する風向板２３とを備え、送風路２５が、その上側２５１において、その先端であって風向板２３の先端よりも前側に設けられた第１の突起３１と、風向板２３の先端よりも後側に設けられた第２の突起３２とを有することを特徴とする空気調和機。【選択図】図３
2015137843.tif 000002
【特許請求の範囲】
【請求項１】
吸込口と、吹出口と、前記吸込口と前記吹出口を結ぶ送風路と、前記送風路に配置された送風ファンと、前記吹出口に設けられた前記送風路からの風の流れを上下に調節する風向板と、からなる空気調和機であって、
前記送風路は上面壁と下面壁とを有し、
前記上面壁は、前記風向板が閉じられた際にその先端よりも前側となる位置に設けられた第１の突起と、前記風向板の先端よりも後側に設けられた第２の突起とを有することを特徴とする空気調和機。
【請求項２】
前記第２の突起が、前記第１の突起の下端から前記送風路の上側に沿って延在する仮想線から突出しない高さを有することを特徴とする請求項１に記載の空気調和機。
【発明の詳細な説明】
【技術分野】
【０００１】
本発明は、空気調和機、特に、空気調和機の室内ユニットの吹出口から吹き出される空気の流れを調整する風向板を備えた空気調和機に関する。
【背景技術】
【０００２】
従来、空気調和機の室内ユニットの吹出口から吹き出される空気の流れを調整するために、風向板を回動可能に設けるのが一般的である（例えば、特許文献１参照）。また、吹出口から吹出される風を均一にするため、吹出口の一部に突起部を設けて、風の流れの不均一さを解消している。
【０００３】
しかしながら、近年では、空気調和機の意匠性が重要視されるようになってきており、風向板が閉じた際に、風向板の反り等により風向板の先端と送風路の上壁との間に生じる隙間が目立たないようにすることが望まれている。このため、隙間を隠す目隠しを兼ねて、吹出口の端部に突起を設ける場合がある。このような場合に、突起を設ける位置によっては、冷房時に風を水平に吹き出せなくなる。また暖房時に吹き出された温風が上方に流れることを防げず、温風が直接吸込口に向かってしまうことがある。このため、正確な室温検知ができず、適正な温度制御ができなくなるという問題があった。
【先行技術文献】
【特許文献】
【０００４】
【特許文献１】実用新案登録２５３２４４０号公報
【発明の概要】
【発明が解決しようとする課題】
【０００５】
本発明は、従来の問題を解決するためになされたもので、風向板が閉じた際に風向板の先端と送風路の上壁との間に生じる隙間を隠して外観を向上させるとともに、冷房時には冷風を水平に吹き出させ、暖房時に温風が上方に流れるのを防止して温度センサで正確な室温検知ができる空気調和機を提供することを目的とする。
【課題を解決するための手段】
【０００６】
（１）本願発明に係る１つの態様は、吸込口と、吹出口と、吸込口と吹出口を結ぶ送風路と、送風路に配置された送風ファンと、吹出口に設けられた送風路からの風の流れを上下に調節する風向板と、からなる空気調和機であって、前記送風路は上面壁と下面壁とを有し送風ファンから送り出される風が流通する送風路と、送風路からの風の流れを上下に調節する風向板とを備え、上面壁は、風向板が閉じられた際にその先端よりも前側となる位置に設けられた第１の突起と、風向板の先端よりも後側に設けられた第２の突起とを有することを特徴とする空気調和機を提供する。
【０００７】
（２）上記（１）に記載の空気調和機において、第２の突起が、第１の突起の下端から送風路の上側に沿って延在する仮想線から突出しない高さを有するものであってもよい。
【発明の効果】
【０００８】
本発明は、送風路の上側で、風向板の先端よりも前側に第１の突起を設け、また、送風路の上側で、風向板の先端よりも後側に第２の突起を設けたので、送風路と風向板の間に生じる隙間を隠すとともに、送風方向を適切な向きにすることが可能となる。
【図面の簡単な説明】
【０００９】
【図１】本発明に係る実施形態の空気調和機の全体斜視図である。
【図２】図１中ＩＩ−ＩＩ位置の断面図である。
【図３】（Ａ）は上下風向板を閉じた状態の概略断面図であり、（Ｂ）は（Ａ）中Ｂ部分の拡大図である。
【図４】冷房時における風の流れを示す概略断面図である。
【図５】暖房時における風の流れを示す概略断面図である。
【発明を実施するための形態】
【００１０】
以下、本発明に係る実施形態の空気調和機について、図面を用いて説明する。図１に示すように、本発明に係る実施形態の空気調和機１０は、例えば室内の壁１１等に取り付けて使用することができる。なお、以下の説明においては、空気調和機１０を壁１１に取り付けた状態で、天井側を「上」とし、床側を「下」とする。また、壁１１に対して室内側を「前」とし、壁１１側を「後」として説明する。
【００１１】
図１及び図２に示すように、空気調和機１０は、内部の熱交換器１４や送風ファン１３を覆う外観部品としてハウジング２０を有しており、ハウジング２０の前面には前面カバー２４が、前面カバー２４の前面にはオープンパネル２４ａが設けられている。オープンパネル２４ａは前面カバー２４の下部に保持されており、運転時には前方かつ上方にスライドし、室内の空気を吸入する空気吸入口２１（２１１）を形成する。空気吸入口２１としては、このようにしてハウジング２０の前面であってオープンパネル２４ａの内側に設けられている前側空気吸入口２１１のほかに、ハウジング２０の上側に設けられている上側空気吸入口２１２を有する。なお、前側空気吸入口２１１及び上側空気吸入口２１２には、吸入する空気中のホコリ等を除去するフィルタ（図示省略）が設けられている。オープンパネル２４ａは、停止時には空気吸入口２１１を塞いで空気調和機１０の外観を向上させる。
【００１２】
空気吹出口２２は、ハウジング２０の下部に設けられており、下方に開口している。空気吹出口２２には、上下に回動可能な上下風向板２３が設けられており、空気の流れを上下方向に調整している。上下風向板２３は、運転時には下方へ開き、風向の調整が可能となっている。上下風向板２３は、空気調和機１０の運転が停止されると、空気吹出口２２を閉じる。また、水平方向に回動可能な左右風向板（図示省略）が設けられており、左右への吹出し方向が調整可能となっている。ハウジング２０は、後側面が開口しており、矩形の金属板である取付板１２を介して壁１１に取り付けられる。
【００１３】
図２に示すように、ハウジング２０の中央部分には、クロスフロー型の送風ファン１３が配置されている。送風ファン１３の上方には、熱交換器１４が、送風ファン１３を囲うように配置されている。熱交換器１４は、送風機の前側に配置される前側熱交換器と、送風機の背面側に配置される後側熱交換器を有している。 前側熱交換器と後側熱交換器は上部が近接し下部が離間するように配置されており、いわゆる逆Ｖ字状に配置されている。熱交換器１４の前側で前側空気吸入口２１１の内側には、吸い込む空気の温度を検知する室温センサとしての温度センサ２６が設けられており、送風ファン１３や後述する上下風向板２３を制御する制御部（図示省略）に接続されている。
【００１４】
従って、送風ファン１３が回転して室内の空気を吸引すると、ハウジング２０の前側空気吸入口２１１及び上側空気吸入口２１２から空気が流入する（図２中矢印Ａ１，Ａ２，Ａ３参照）。このとき、温度センサ２６が、前側空気吸入口２１１から吸い込まれる室内の空気の温度を検知する。そして、吸い込まれた空気は熱交換器１４を通過して冷媒と熱交換され、送風路２５を通って空気吹出口２２から室内に排出される（図２中矢印Ｂ１，Ｂ２参照）。温度センサ２６で検知された室内の空気の温度は制御部に伝達され、制御部は送風ファン１３や上下風向板２３を制御して温度制御を行う。なお、熱交換器１４の下方には、熱交換器１４から滴下する凝縮水を受ける露受皿１５が設けられている。
【００１５】
図２及び図３に示すように、送風ファン１３（クロスフローファン）からの風を送り出す送風路２５は、送風ファン１３の前側から吹出し方向に形成された上面壁２５１および、送風ファン１３の後側から形成される下面壁２５２から構成されている。送風ファン１３からの風を送り出す送風路２５の上面壁２５１における先端には、第１の突起３１が設けられている。第１の突起３１は、上下風向板２３が回動して空気吹出口２２を閉じたときの、上下風向板２３の前端部２３２よりも前側に位置するように設けられている。送風路２５の上面壁２５１における第１の突起３１の後方には、第２の突起３２が設けられている。
【００１６】
第２の突起３２は、上下風向板２３が回動して空気吹出口２２を閉じたときの、上下風向板２３の前端部２３２よりも後側に位置するように設けられている。また、第２の突起３２は、第１の突起３１の下端３１１から送風路２５の上面壁２５１に沿って延在する仮想線Ｌ１から突出しないように設定されている（図３（Ｂ）参照）。すなわち、第２の突起３２の送風路２５の上面壁２５１からの突出量は、第１の突起３１の突出量と同じか、それより小さく設定されている。なお、第２の突起３２は送風路２５の上面壁２５１に一体的に設けることができるが、後から別部材を接着手段により取り付けることも可能である。
【００１７】
次に、空気調和機１０の動作について説明する。空気調和機１０の停止時には、図３に示すように、上下風向板２３は、送風路２５において回転中心２３１を中心として矢印Ｃ方向に回転して、前端部２３２を送風路２５の上面壁２５１に当接して閉じる。このとき、上下風向板２３の前端部２３２は、第１の突起３１の後方位置において、送風路２５の上面壁２５１に当接している。
【００１８】
冷房時において水平に風を吹き出す場合には、図４に示すように、上下風向板２３を水平になるように回動させる。送風ファン１３からの風Ｗ１は、送風路２５の上面壁２５１と上下風向板２３との間を空気吹出口２２に向かって水平に流れる。そして、送風路２５の上面壁２５１に設けられている第２の突起３２に衝突すると、一旦、下向きに方向を変え（風Ｗ２）、上下風向板２３に当たって再び水平に流れる（風Ｗ３）。
【００１９】
なお、図４において第２の突起３２が設けられていない場合には、送風路２５の上面壁２５１と上下風向板２３との間を水平に流れてきた風Ｗ１は、上面壁２５１の先端に設けられている第１の突起３１に衝突し、下方に方向を変える（風ＷＢ１参照）。この場合、上下風向板２３を前方へ延長することにより、下方に向いた風を再び水平方向へ流すことができるが、上下風向板２３が第１の突起３１よりも前方に位置すると、上下風向板２３を閉じた際に上面壁２５１と上下風向板２３との隙間が見えるので、外観上好ましくない。特に、上下風向板２３が温度変化により歪んでいる場合には、見栄えが悪い。また、上下風向板２３が延長されることで大型化し、 コストアップを招くため、好ましくない。
【００２０】
図５に示すように、暖房時には、上下風向板２３を下向きにして、温風は主に下方に吹き出される（風Ｗ６参照）。このとき、上下風向板２３と送風路２５の上面壁２５１との間から、漏れた温風（風Ｗ４）が前方に流れる。漏れた温風（風Ｗ４）は、送風路２５の上面壁２５１に沿って前方に流れ、第２の突起３２に当たって下方へ方向が変えられる（風Ｗ５）。これにより、前方に向かって流れる漏れた温風（風Ｗ４）を、下方に向けることができる。
【００２１】
図５において、第２の突起３２が設けられていない場合には、風Ｗ５は下方に方向を変えずに送風路２５の上面壁２５１に沿って前方に流れる（風ＷＢ２）。この風ＷＢ２は、第１の突起３１で多少下方に向かうものの、多くはハウジング２０の前面に沿って上昇し、前側空気吸入口２１１から内部に吸い込まれる、いわゆるショートサーキットが生じる。温度センサ２６は、吸い込まれた風ＷＢ２の温度を室内の温度として検知し、図示しない制御部に伝達する。制御部は、室内が暖かくなったと誤認して、送風ファン１３や上下風向板２３を制御し、適切な室温制御が行えない原因となる。
【００２２】
次に、本発明の空気調和機１０の作用効果について説明する。本発明に係る実施形態の空気調和機１０によれば、送風ファン１３により送風路２５に送り出された風は、上下風向板２３により流れを上下方向に調整されて、空気吹出口２２から吹き出される。
【００２３】
そして、送風路２５の上側で、上下風向板２３の前端部２３２よりも後側に第２の突起３２を設けたので、送風路の上側で、風向板の先端よりも前側に第１の突起を有していても、冷房時には冷風を水平に吹き出させ、暖房時には温風が上方に流れるのを防止できる。これにより、温度センサ２６は正確な室温を検知でき、適正な温度制御を行うことができる。
【００２４】
また、本発明に係る実施形態の空気調和機１０によれば、第２の突起３２は、第１の突起３１の下端３１１から送風路２５の上面壁２５１に沿って延在する仮想線Ｌ１から突出しない高さ、すなわち、第２の突起３２の突出量は第１の突起３１の突出量と同じかそれより小さい。このため、第２の突起３２により、風の流れを大きく乱すことなく、風の方向を下方へ変化させることができる。
【００２５】
本発明の空気調和機は、前述した実施形態に限定されるものでなく、適宜な変形，改良等が可能である。例えば、前述した実施形態においては、第２の突起３２の形状として矩形の場合を例示したが、変えたい風の流れの方向に応じて最適な形状を採用することができる。
【符号の説明】
【００２６】
１０……空気調和機
１３……送風ファン
２３……上下風向板
２４……前面カバー
２４ａ……オープンパネル
２３１……回転中心（上下風向板の）
２３２……先端（上下風向板の）
２５……送風路
２５１……上面壁（送風路の上側）
２５２……下面壁（送風路の下側）
３１……第１の突起
３１１……下端（第１の突起の）
３２……第２の突起
Ｌ１……仮想線
Ｃ……上下風向板の回転方向
【図１】
2015137843.tif 000003
【図２】
2015137843.tif 000004
【図３】
2015137843.tif 000005
【図４】
2015137843.tif 000006
【図５】
2015137843.tif 000007